(57)【要約】【課題】本発明は警戒信号を出す安全なチョッキを開示した。【解決手段】チョッキを含み、前記チョッキには前後対称の光反射紐が設置され、前記チョッキの肩部には左右対称の連結箱が設置され、前記連結箱の中には空きチャンバが設置され、前記空きチャンバの中には判定装置が設置され、前記空きチャンバの下端内壁には抜き穴が連通するように設置され、本発明は構成が簡単で、慣性の原理によって、弾性を持つように連結された判断の構成を利用し、衝撃をうけた時に後回して移動する特徴を持ち、タイムリーに装置を始動して作動させると、作業員を保護できる。【選択図】図１
2020183596.tif 000002
【特許請求の範囲】
【請求項１】
正面視で、チョッキを含み、前記チョッキには前後対称の光反射紐が設置され、前記チョッキの肩部には左右対称の連結箱が設置され、前記連結箱の中には空きチャンバが設置され、前記空きチャンバの中には判定装置が設置され、前記空きチャンバの下端内壁には抜き穴が連通するように設置され、前記抜き穴の中には前記判定装置に制御される伝動装置が設置され、前記抜き穴の底端内壁には前記伝動装置と協働し、且つ左右対称のスタンドが設置され、前記抜き穴のうち対称中心から離れている側の内壁には伝動軸が回転できるように連結され、前記伝動軸には前記抜き穴の中に位置している溝車が設置され、前記伝動軸には前記抜き穴のうち対称中心から離れている側に位置している推し動かし装置が設置され、前記抜き穴のうち対称中心から離れている側の端面には固定リングが設置され、前記固定リングの中には伝動チャンバが設置され、前記伝動チャンバには中心対称の四つの噴射装置がスライドできるように連結され、
チョッキを着ている人は物と衝突した後、慣性により前記判定装置を始動し、それによって前記伝動装置が下方に垂れ、更に前記推し動かし装置を連動させて前記噴射装置を外部へ伸ばし、また化学反応が発生して充填用発泡プラスチックを生み出して体をカバーし、衝撃力を弱めることを特徴とする警戒信号を出す安全なチョッキ。
【請求項２】
前記判定装置は前記空きチャンバの四つの頂角に設置された案内ローラーを含み、前記空きチャンバの左右内壁と上端内壁にはそれぞれビットが設置され、前記空きチャンバの中には判定箱が設置され、前記判定箱の中には移動チャンバが設置され、前記移動チャンバには前記ビットと対応した切断用刃物がスライドできるように連結され、前記切断用刃物と前記移動チャンバの内壁との間には抵抗バネが連結され、前記移動チャンバの底端内壁には円弧面スライドブロックが設置され、前記円弧面スライドブロックには回転ボールがスライドできるように連結され、前記移動チャンバの中には五角ロッドが設置され、前記五角ロッドの下側と前記回転ボールの上側との間には支持バネが連結され、前記空きチャンバの中には前記判定箱の下端に位置しており、且つ左右対称の固定軸が回転できるように連結され、前記固定軸には支持輪が設置され、前記案内ローラーの間にはロープが連結され、前記ロープが前記支持輪を巻き付けて通して前記伝動装置と連結され、
前記五角ロッドと前記回転ボールとの間の弾性を持つような連結によって、前記五角ロッドが衝撃を受けた時に後回し性能を持ち、前記切断用刃物を推し動かして前記ロープを切断し、それによって前記伝動装置が下方へ移動することを特徴とする請求項１に記載の警戒信号を出す安全なチョッキ。
【請求項３】
前記伝動装置は前ロープと固定的に連結された糸引き戻し輪を含み、前記糸引き戻し輪の中には左右に伸びている駆動軸が設置され、前記駆動軸のうち対称中心から離れている端には前記溝車と当接している回しロッドが設置され、前記駆動軸には前記糸引き戻し輪のうち対称中心に近接している側に位置している回転盤が回転できるように連結され、前記回転盤と前記糸引き戻し輪との間には捻じりバネが連結され、前記糸引き戻し輪のうち対称中心に近接している端にはギヤが設置され、前記抜き穴のうち対称中心に近接している内壁には前記ギヤと噛み合うように連結された歯状レールが設置され、
前記ギヤと前記歯状レールとが噛み合って伝動することによって前記捻じりバネが運動エネルギーを蓄積し、前記捻じりバネが前記スタンドに下降した時、前記駆動軸を逆方向へ回転させることができ、運動エネルギーを前記推し動かし装置に伝達することを特徴とする請求項１又は請求項２に記載の警戒信号を出す安全なチョッキ。
【請求項４】
前記推し動かし装置は前記抜き穴のうち対称中心から離れている側の端面に設置された連結リングを含み、前記連結リングの中には平行移動チャンバが設置され、前記伝動軸には前記平行移動チャンバの中に位置しているナットがねじ山によって連結され、前記平行移動チャンバの中には中心対称の四つの推しロッドがスライドできるように連結され、前記推しロッドには前記ナットと当接しているボールが設置され、前記ボールと前記平行移動チャンバの内壁との間には引っ張りバネが連結され、
前記ナットが移動し、且つ自身の高さの変化を利用して前記推しロッドを推し動かして互いに離れている方向にスライドさせることを特徴とする請求項１に記載の警戒信号を出す安全なチョッキ。
【請求項５】
前記噴射装置は前記伝動チャンバとスライドできるように連結され、且つ中心対称の四つの円筒を含み、前記円筒の中には溶液チャンバが設置され、前記溶液チャンバのうち対称中心に近接している側にはスライド溝が設置され、前記スライド溝の中には前記推しロッドと当接しているベースがスライドできるように連結され、前記溶液チャンバの中には切断板がスライドできるように連結され、前記切断板の中には前後対称のスライド穴が設置され、前記スライド穴の中には前記ベースと当接している押出ロッドがスライドできるように連結され、前記押出ロッドには凹溝が設置され、前記溶液チャンバのうち対称中心から離れている端には前後対称の止めドアがヒンジで連結され、前記止めドアと前記押出ロッドとの間が当接するように連結され、
前記押出ロッドが前記円筒より早くスライドすることによって、前記止めドアを回転させて前記溶液チャンバを開け、また前記押出ロッドによって前記溶液チャンバの中の二種類の化学剤を混合して充填用発泡プラスチックを生み出すことを特徴とする請求項４に記載の警戒信号を出す安全なチョッキ。
【発明の詳細な説明】
【技術分野】
【０００１】
本発明は労働保護用品技術分野に関わり、具体的には警戒信号を出す安全なチョッキである。
【背景技術】
【０００２】
路面で働く時、警戒信号を出す服を着る必要がある。視程が高くない環境で又は運転手の不注意で、路面の作業員を傷つける可能性もある。高速運転している車両によってもたらされた衝撃力は人を撥ね飛ばして負傷させることができる。本発明は意外が発生した時に使用者を守るチョッキを開示した。
【先行技術文献】
【特許文献】
【０００３】
【特許文献１】中国特許出願公開第１０６８０５３１８号明細書
【発明の概要】
【発明が解決しようとする課題】
【０００４】
本発明は警戒信号を出す安全なチョッキを提供し、既存技術にある上記欠点を解消することを目的とする。
【課題を解決するための手段】
【０００５】
本発明の警戒信号を出す安全なチョッキは、チョッキを含み、前記チョッキには前後対称の光反射紐が設置され、前記チョッキの肩部には左右対称の連結箱が設置され、前記連結箱の中には空きチャンバが設置され、前記空きチャンバの中には判定装置が設置され、前記空きチャンバの下端内壁には抜き穴が連通するように設置され、前記抜き穴の中には前記判定装置に制御される伝動装置が設置され、前記抜き穴の底端内壁には前記伝動装置と協働し、且つ左右対称のスタンドが設置され、前記抜き穴のうち対称中心から離れている側の内壁には伝動軸が回転できるように連結され、前記伝動軸には前記抜き穴の中に位置している溝車が設置され、前記伝動軸には前記抜き穴のうち対称中心から離れている側に位置している推し動かし装置が設置され、前記抜き穴のうち対称中心から離れている側の端面には固定リングが設置され、前記固定リングの中には伝動チャンバが設置され、前記伝動チャンバには中心対称の四つの噴射装置がスライドできるように連結され、
チョッキを着ている人は物と衝突した後、慣性により前記判定装置を始動し、それによって前記伝動装置が下方に垂れ、更に前記推し動かし装置を連動させて前記噴射装置を外部へ伸ばし、また化学反応が発生して充填用発泡プラスチックを生み出して体をカバーし、衝撃力を弱める。
【０００６】
好ましくは、前記判定装置は前記空きチャンバの四つの頂角に設置された案内ローラーを含み、前記空きチャンバの左右内壁と上端内壁にはそれぞれビットが設置され、前記空きチャンバの中には判定箱が設置され、前記判定箱の中には移動チャンバが設置され、前記移動チャンバには前記ビットと対応した切断用刃物がスライドできるように連結され、前記切断用刃物と前記移動チャンバの内壁との間には抵抗バネが連結され、前記移動チャンバの底端内壁には円弧面スライドブロックが設置され、前記円弧面スライドブロックには回転ボールがスライドできるように連結され、前記移動チャンバの中には五角ロッドが設置され、前記五角ロッドの下側と前記回転ボールの上側との間には支持バネが連結され、前記空きチャンバの中には前記判定箱の下端に位置しており、且つ左右対称の固定軸が回転できるように連結され、前記固定軸には支持輪が設置され、前記案内ローラーの間にはロープが連結され、前記ロープが前記支持輪を巻き付けて通して前記伝動装置と連結され、
前記五角ロッドと前記回転ボールとの間の弾性を持つような連結によって、前記五角ロッドが衝撃を受けた時に後回し性能を持ち、前記切断用刃物を推し動かして前記ロープを切断し、それによって前記伝動装置が下方へ移動する。
【０００７】
好ましくは、前記伝動装置は前ロープと固定的に連結された糸引き戻し輪を含み、前記糸引き戻し輪の中には左右に伸びている駆動軸が設置され、前記駆動軸のうち対称中心から離れている端には前記溝車と当接している回しロッドが設置され、前記駆動軸には前記糸引き戻し輪のうち対称中心に近接している側に位置している回転盤が回転できるように連結され、前記回転盤と前記糸引き戻し輪との間には捻じりバネが連結され、前記糸引き戻し輪のうち対称中心に近接している端にはギヤが設置され、前記抜き穴のうち対称中心に近接している内壁には前記ギヤと噛み合うように連結された歯状レールが設置され、
前記ギヤと前記歯状レールとが噛み合って伝動することによって前記捻じりバネが運動エネルギーを蓄積し、前記捻じりバネが前記スタンドに下降した時、前記駆動軸を逆方向へ回転させることができ、運動エネルギーを前記推し動かし装置に伝達する。
【０００８】
好ましくは、前記推し動かし装置は前記抜き穴のうち対称中心から離れている側の端面に設置された連結リングを含み、前記連結リングの中には平行移動チャンバが設置され、前記伝動軸には前記平行移動チャンバの中に位置しているナットがねじ山によって連結され、前記平行移動チャンバの中には中心対称の四つの推しロッドがスライドできるように連結され、前記推しロッドには前記ナットと当接しているボールが設置され、前記ボールと前記平行移動チャンバの内壁との間には引っ張りバネが連結され、
前記ナットが移動し、且つ自身の高さの変化を利用して前記推しロッドを推し動かして互いに離れている方向にスライドさせる。
【０００９】
好ましくは、前記噴射装置は前記伝動チャンバとスライドできるように連結され、且つ中心対称の四つの円筒を含み、前記円筒の中には溶液チャンバが設置され、前記溶液チャンバのうち対称中心に近接している側にはスライド溝が設置され、前記スライド溝の中には前記推しロッドと当接しているベースがスライドできるように連結され、前記溶液チャンバの中には切断板がスライドできるように連結され、前記切断板の中には前後対称のスライド穴が設置され、前記スライド穴の中には前記ベースと当接している押出ロッドがスライドできるように連結され、前記押出ロッドには凹溝が設置され、前記溶液チャンバのうち対称中心から離れている端には前後対称の止めドアがヒンジで連結され、前記止めドアと前記押出ロッドとの間が当接するように連結され、
前記押出ロッドが前記円筒より早くスライドすることによって、前記止めドアを回転させて前記溶液チャンバを開け、また前記押出ロッドによって前記溶液チャンバの中の二種類の化学剤を混合して充填用発泡プラスチックを生み出す。
【発明の効果】
【００１０】
本発明の有益な効果は：本発明は構成が簡単で、操作が便利であり、慣性の原理によって、弾性を持つように連結された判断の構成を利用し、衝撃をうけた時に後回して移動する特徴を持ち、タイムリーに装置を始動して作動させると、作業員を保護できる。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の警戒信号を出す安全なチョッキの全体構成概略図
【図２】図２は図１の連結箱の内部構成概略図
【図３】図３は図２の歯状レールとギヤとの連結したところの構成概略図
【図４】図４は図２のスタンドの構成概略図
【図５】図５は図２の「Ａ―Ａ」の構成概略図
【図６】図６は図５の噴射装置の構成概略図
【発明を実施するための形態】
【００１３】
本発明の警戒信号を出す安全なチョッキは、チョッキ１１を含み、前記チョッキ１１には前後対称の光反射紐１２が設置され、前記チョッキ１１の肩部には左右対称の連結箱１３が設置され、前記連結箱１３の中には空きチャンバ１５が設置され、前記空きチャンバ１５の中には判定装置９０１が設置され、前記空きチャンバ１５の下端内壁には抜き穴１８が連通するように設置され、前記抜き穴１８の中には前記判定装置９０１に制御される伝動装置９０２が設置され、前記抜き穴１８の底端内壁には前記伝動装置９０２と協働し、且つ左右対称のスタンド２４が設置され、前記抜き穴１８のうち対称中心から離れている側の内壁には伝動軸３０が回転できるように連結され、前記伝動軸３０には前記抜き穴１８の中に位置している溝車２９が設置され、前記伝動軸３０には前記抜き穴１８のうち対称中心から離れている側に位置している推し動かし装置９０３が設置され、前記抜き穴１８のうち対称中心から離れている側の端面には固定リング３９が設置され、前記固定リング３９の中には伝動チャンバ４０が設置され、前記伝動チャンバ４０には中心対称の四つの噴射装置９０４がスライドできるように連結され、
チョッキを着ている人は物と衝突した後、慣性により前記判定装置９０１を始動し、それによって前記伝動装置９０２が下方に垂れ、更に前記推し動かし装置９０３を連動させて前記噴射装置９０４を外部へ伸ばし、また化学反応が発生して充填用発泡プラスチックを生み出して体をカバーし、衝撃力を弱める。
【００１４】
有益なように、前記判定装置９０１は前記空きチャンバ１５の四つの頂角に設置された案内ローラー１４を含み、前記空きチャンバ１５の左右内壁と上端内壁にはそれぞれビット１７が設置され、前記空きチャンバ１５の中には判定箱１９が設置され、前記判定箱１９の中には移動チャンバ２０が設置され、前記移動チャンバ２０には前記ビット１７と対応した切断用刃物３８がスライドできるように連結され、前記切断用刃物３８と前記移動チャンバ２０の内壁との間には抵抗バネ３７が連結され、前記移動チャンバ２０の底端内壁には円弧面スライドブロック３３が設置され、前記円弧面スライドブロック３３には回転ボール３４がスライドできるように連結され、前記移動チャンバ２０の中には五角ロッド３６が設置され、前記五角ロッド３６の下側と前記回転ボール３４の上側との間には支持バネ３５が連結され、前記空きチャンバ１５の中には前記判定箱１９の下端に位置しており、且つ左右対称の固定軸３１が回転できるように連結され、前記固定軸３１には支持輪３２が設置され、前記案内ローラー１４の間にはロープ１６が連結され、前記ロープ１６が前記支持輪３２を巻き付けて通して前記伝動装置９０２と連結され、
前記五角ロッド３６と前記回転ボール３４との間の弾性を持つような連結によって、前記五角ロッド３６が衝撃を受けた時に後回し性能を持ち、前記切断用刃物３８を推し動かして前記ロープ１６を切断し、それによって前記伝動装置９０２が下方へ移動する。
【００１５】
有益なように、前記伝動装置９０２は前ロープ１６と固定的に連結された糸引き戻し輪２６を含み、前記糸引き戻し輪２６の中には左右に伸びている駆動軸２７が設置され、前記駆動軸２７のうち対称中心から離れている端には前記溝車２９と当接している回しロッド２８が設置され、前記駆動軸２７には前記糸引き戻し輪２６のうち対称中心に近接している側に位置している回転盤２３が回転できるように連結され、前記回転盤２３と前記糸引き戻し輪２６との間には捻じりバネ２５が連結され、前記糸引き戻し輪２６のうち対称中心に近接している端にはギヤ２２が設置され、前記抜き穴１８のうち対称中心に近接している内壁には前記ギヤ２２と噛み合うように連結された歯状レール２１が設置され、
前記ギヤ２２と前記歯状レール２１とが噛み合って伝動することによって前記捻じりバネ２５が運動エネルギーを蓄積し、前記捻じりバネ２５が前記スタンド２４に下降した時、前記駆動軸２７を逆方向へ回転させることができ、運動エネルギーを前記推し動かし装置９０３に伝達する。
【００１６】
有益なように、前記推し動かし装置９０３は前記抜き穴１８のうち対称中心から離れている側の端面に設置された連結リング４３を含み、前記連結リング４３の中には平行移動チャンバ４５が設置され、前記伝動軸３０には前記平行移動チャンバ４５の中に位置しているナット４４がねじ山によって連結され、前記平行移動チャンバ４５の中には中心対称の四つの推しロッド４１がスライドできるように連結され、前記推しロッド４１には前記ナット４４と当接しているボール４６が設置され、前記ボール４６と前記平行移動チャンバ４５の内壁との間には引っ張りバネ４２が連結され、
前記ナット４４が移動し、且つ自身の高さの変化を利用して前記推しロッド４１を推し動かして互いに離れている方向にスライドさせる。
【００１７】
有益なように、前記噴射装置９０４は前記伝動チャンバ４０とスライドできるように連結され、且つ中心対称の四つの円筒５２を含み、前記円筒５２の中には溶液チャンバ４９が設置され、前記溶液チャンバ４９のうち対称中心に近接している側にはスライド溝５３が設置され、前記スライド溝５３の中には前記推しロッド４１と当接しているベース５４がスライドできるように連結され、前記溶液チャンバ４９の中には切断板５０がスライドできるように連結され、前記切断板５０の中には前後対称のスライド穴５１が設置され、前記スライド穴５１の中には前記ベース５４と当接している押出ロッド５５がスライドできるように連結され、前記押出ロッド５５には凹溝４７が設置され、前記溶液チャンバ４９のうち対称中心から離れている端には前後対称の止めドア４８がヒンジで連結され、前記止めドア４８と前記押出ロッド５５との間が当接するように連結され、
前記押出ロッド５５が前記円筒５２より早くスライドすることによって、前記止めドア４８を回転させて前記溶液チャンバ４９を開け、また前記押出ロッド５５によって前記溶液チャンバ４９の中の二種類の化学剤を混合して充填用発泡プラスチックを生み出す。
【００１８】
本発明のチョッキは通常状態の下で、光反射紐１２によって警戒信号を出して人を守り、衝撃を受けた時、五角ロッド３６と回転ボール３４との間が支持バネ３５によって弾性を持つように連結されるため、五角ロッド３６が慣性の条件の下で連結箱１３の中に設置されたすべての部品より遅く移動し、この時、五角ロッド３６が切断用刃物３８を推し動かして移動チャンバ２０の外側へ移動させ、ビット１７との当接によってロープ１６を切断し、それによって駆動軸２７全体が下方へ移動し、ギヤ２２と歯状レール２１とが噛み合って伝動することによって、駆動軸２７が回転しながら下方へ移動し、さらに糸引き戻し輪２６を回転連動させてロープ１６を巻き付け、また捻じりバネ２５に運動エネルギーを蓄積させ、駆動軸２７がスタンド２４に下降した時、ギヤ２２が歯状レール２１との噛み合いから離脱し、また回しロッド２８が溝車２９と当接し、この時、捻じりバネ２５の弾性復元力による復帰によって、駆動軸２７が回転し、順に回しロッド２８と溝車２９とによって伝動軸３０を回転させ、伝動軸３０がねじ山による連結によってナット４４を逆な端へスライドさせ、ボール４６によって推しロッド４１を推し動かして対称中心から離れている側に移動させ、ベース５４をを推し動かして上方へ移動させ、ベース５４が先にスライド溝５３の中でスライドし、この時、押出ロッド５５が上方へ移動して止めドア４８を両側にひっくり返すように推し動かし、溶液チャンバ４９を開け、且つ凹溝４７を利用して溶液チャンバ４９の中の切断板により切断された二種類の化学剤を混合し、化学剤が膨張して発泡プラスチックを生み出し、発泡プラスチックを生み出す過程において、ベース５４が円筒５２を推し動かして円心から離れている端にスライドさせ、それによって発泡プラスチックは体をカバーすることができる。
【００１９】
本発明の有益な効果は：本発明は構成が簡単で、操作が便利であり、慣性の原理によって、弾性を持つように連結された判断の構成を利用し、衝撃をうけた時に後回して移動する特徴を持ち、タイムリーに装置を始動して作動させると、作業員を保護できる。
【００２０】
上記の方式によって、当業者は本発明の範囲内で作業モードに基づいて様々な変わりを行うことができる。
【図１】
2020183596.tif 000003
【図２】
2020183596.tif 000004
【図３】
2020183596.tif 000005
【図４】
2020183596.tif 000006
【図５】
2020183596.tif 000007
【図６】
2020183596.tif 000008
【手続補正書】
【提出日】令和1年12月5日(2019.12.5)
【手続補正１】
【補正対象書類名】特許請求の範囲
【補正対象項目名】全文
【補正方法】変更
【補正の内容】
【特許請求の範囲】
【請求項１】
正面視で、チョッキを含み、前記チョッキには前後方向の対称位置に配置された一対の光反射紐が設置され、前記チョッキの肩部には左右方向の対称位置に配置された一対の連結箱が設置され、前記連結箱の中には空きチャンバが設置され、前記空きチャンバの中には判定装置が設置され、前記空きチャンバの下端内壁には抜き穴が連通するように設置され、前記抜き穴の中には前記判定装置に制御される伝動装置が設置され、前記抜き穴の底端内壁には前記伝動装置と協働し、且つ左右方向の対称位置に配置された一対のスタンドが設置され、前記抜き穴のうち対称中心から離れている側の内壁には伝動軸が回転できるように連結され、前記伝動軸には前記抜き穴の中に位置している溝車が設置され、前記伝動軸において前記抜き穴から離れている側には推し動かし装置が設置され、前記伝動軸において前記抜き穴から離れている側には固定リングが設置され、前記固定リングの中には伝動チャンバが設置され、前記伝動チャンバには中心対称の四つの噴射装置がスライドできるように連結され、チョッキを着ている人は物と衝突した後、慣性により前記判定装置を始動し、それによって前記伝動装置が下方に垂れ、更に前記推し動かし装置を連動させて前記噴射装置を外部へ伸ばし、また化学反応が発生して充填用発泡プラスチックを生み出して体をカバーし、衝撃力を弱め、
前記判定装置は前記空きチャンバの四つの頂角に設置された案内ローラーを含み、前記空きチャンバの左右内壁と上端内壁にはそれぞれビットが設置され、前記空きチャンバの中には判定箱が設置され、前記判定箱の中には移動チャンバが設置され、前記移動チャンバには前記ビットと対応した切断用刃物がスライドできるように連結され、前記切断用刃物と前記移動チャンバの内壁との間には抵抗バネが連結され、前記移動チャンバの底端内壁には円弧面スライドブロックが設置され、前記円弧面スライドブロックには回転ボールがスライドできるように連結され、前記移動チャンバの中には五角ロッドが設置され、前記五角ロッドの下側と前記回転ボールの上側との間には支持バネが連結され、前記空きチャンバの中には前記判定箱の下端に位置しており、且つ左右方向の対称位置に配置された一対の固定軸が回転できるように連結され、前記固定軸には支持輪が設置され、前記案内ローラーの間にはロープが連結され、前記ロープが前記支持輪を巻き付けて通して前記伝動装置と連結され、前記五角ロッドと前記回転ボールとの間の弾性を持つような連結によって、前記五角ロッドが衝撃を受けた時に後回し性能を持ち、前記切断用刃物を推し動かして前記ロープを切断し、それによって前記伝動装置が下方へ移動し、
前記伝動装置は前記ロープと固定的に連結された糸引き戻し輪を含み、前記糸引き戻し輪の中には左右に伸びている駆動軸が設置され、前記駆動軸のうち対称中心から離れている端には前記溝車と当接している回しロッドが設置され、前記駆動軸には前記糸引き戻し輪のうち対称中心に近接している側に位置している回転盤が回転できるように連結され、前記回転盤と前記糸引き戻し輪との間には捻じりバネが連結され、前記糸引き戻し輪のうち対称中心に近接している端にはギヤが設置され、前記抜き穴のうち対称中心に近接している内壁には前記ギヤと噛み合うように連結された歯状レールが設置され、前記ギヤと前記歯状レールとが噛み合って伝動することによって前記捻じりバネが運動エネルギーを蓄積し、前記捻じりバネが前記スタンドに下降した時、前記駆動軸を逆方向へ回転させることができ、運動エネルギーを前記推し動かし装置に伝達し、
前記推し動かし装置は前記伝動軸において前記抜き穴から離れている側に設置された連結リングを含み、前記連結リングの中には平行移動チャンバが設置され、前記伝動軸には前記平行移動チャンバの中に位置しているナットがねじ山によって連結され、前記平行移動チャンバの中には中心対称の四つの推しロッドがスライドできるように連結され、前記推しロッドには前記ナットと当接しているボールが設置され、前記ボールと前記平行移動チャンバの内壁との間には引っ張りバネが連結され、前記ナットが移動し、且つ自身の高さの変化を利用して前記推しロッドを推し動かして互いに離れている方向にスライドさせ、
前記噴射装置は前記伝動チャンバとスライドできるように連結され、且つ中心対称の四つの円筒を含み、前記円筒の中には溶液チャンバが設置され、前記溶液チャンバのうち対称中心に近接している側にはスライド溝が設置され、前記スライド溝の中には前記推しロッドと当接しているベースがスライドできるように連結され、前記溶液チャンバの中には切断板がスライドできるように連結され、前記切断板の中には前後方向の対称位置に配置された一対のスライド穴が設置され、前記スライド穴の中には前記ベースと当接している押出ロッドがスライドできるように連結され、前記押出ロッドには凹溝が設置され、前記溶液チャンバのうち対称中心から離れている端には前後方向の対称位置に配置された一対の止めドアがヒンジで連結され、前記止めドアと前記押出ロッドとの間が当接するように連結され、前記押出ロッドが前記円筒より早くスライドすることによって、前記止めドアを回転させて前記溶液チャンバを開け、また前記押出ロッドによって前記溶液チャンバの中の二種類の化学剤を混合して充填用発泡プラスチックを生み出すことを特徴とする警戒信号を出す安全なチョッキ。
【手続補正２】
【補正対象書類名】明細書
【補正対象項目名】全文
【補正方法】変更
【補正の内容】
【発明の詳細な説明】
【技術分野】
【０００１】
本発明は労働保護用品技術分野に関わり、具体的には警戒信号を出す安全なチョッキである。
【背景技術】
【０００２】
路面で働く時、警戒信号を出す服を着る必要がある。視程が高くない環境で又は運転手の不注意で、路面の作業員を傷つける可能性もある。高速運転している車両によってもたらされた衝撃力は人を撥ね飛ばして負傷させることができる。本発明は意外が発生した時に使用者を守るチョッキを開示した。
【先行技術文献】
【特許文献】
【０００３】
【特許文献１】中国特許出願公開第１０６８０５３１８号明細書
【発明の概要】
【発明が解決しようとする課題】
【０００４】
本発明は警戒信号を出す安全なチョッキを提供し、既存技術にある上記欠点を解消することを目的とする。
【課題を解決するための手段】
【０００５】
本発明の警戒信号を出す安全なチョッキは、チョッキを含み、前記チョッキには前後方向の対称位置に配置された一対の光反射紐が設置され、前記チョッキの肩部には左右方向の対称位置に配置された一対の連結箱が設置され、前記連結箱の中には空きチャンバが設置され、前記空きチャンバの中には判定装置が設置され、前記空きチャンバの下端内壁には抜き穴が連通するように設置され、前記抜き穴の中には前記判定装置に制御される伝動装置が設置され、前記抜き穴の底端内壁には前記伝動装置と協働し、且つ左右方向の対称位置に配置された一対のスタンドが設置され、前記抜き穴のうち対称中心から離れている側の内壁には伝動軸が回転できるように連結され、前記伝動軸には前記抜き穴の中に位置している溝車が設置され、前記伝動軸において前記抜き穴から離れている側には推し動かし装置が設置され、前記伝動軸において前記抜き穴から離れている側には固定リングが設置され、前記固定リングの中には伝動チャンバが設置され、前記伝動チャンバには中心対称の四つの噴射装置がスライドできるように連結され、チョッキを着ている人は物と衝突した後、慣性により前記判定装置を始動し、それによって前記伝動装置が下方に垂れ、更に前記推し動かし装置を連動させて前記噴射装置を外部へ伸ばし、また化学反応が発生して充填用発泡プラスチックを生み出して体をカバーし、衝撃力を弱める。
【０００６】
好ましくは、前記判定装置は前記空きチャンバの四つの頂角に設置された案内ローラーを含み、前記空きチャンバの左右内壁と上端内壁にはそれぞれビットが設置され、前記空きチャンバの中には判定箱が設置され、前記判定箱の中には移動チャンバが設置され、前記移動チャンバには前記ビットと対応した切断用刃物がスライドできるように連結され、前記切断用刃物と前記移動チャンバの内壁との間には抵抗バネが連結され、前記移動チャンバの底端内壁には円弧面スライドブロックが設置され、前記円弧面スライドブロックには回転ボールがスライドできるように連結され、前記移動チャンバの中には五角ロッドが設置され、前記五角ロッドの下側と前記回転ボールの上側との間には支持バネが連結され、前記空きチャンバの中には前記判定箱の下端に位置しており、且つ左右方向の対称位置に配置された一対の固定軸が回転できるように連結され、前記固定軸には支持輪が設置され、前記案内ローラーの間にはロープが連結され、前記ロープが前記支持輪を巻き付けて通して前記伝動装置と連結され、前記五角ロッドと前記回転ボールとの間の弾性を持つような連結によって、前記五角ロッドが衝撃を受けた時に後回し性能を持ち、前記切断用刃物を推し動かして前記ロープを切断し、それによって前記伝動装置が下方へ移動する。
【０００７】
好ましくは、前記伝動装置は前記ロープと固定的に連結された糸引き戻し輪を含み、前記糸引き戻し輪の中には左右に伸びている駆動軸が設置され、前記駆動軸のうち対称中心から離れている端には前記溝車と当接している回しロッドが設置され、前記駆動軸には前記糸引き戻し輪のうち対称中心に近接している側に位置している回転盤が回転できるように連結され、前記回転盤と前記糸引き戻し輪との間には捻じりバネが連結され、前記糸引き戻し輪のうち対称中心に近接している端にはギヤが設置され、前記抜き穴のうち対称中心に近接している内壁には前記ギヤと噛み合うように連結された歯状レールが設置され、前記ギヤと前記歯状レールとが噛み合って伝動することによって前記捻じりバネが運動エネルギーを蓄積し、前記捻じりバネが前記スタンドに下降した時、前記駆動軸を逆方向へ回転させることができ、運動エネルギーを前記推し動かし装置に伝達する。
【０００８】
好ましくは、前記推し動かし装置は前記伝動軸において前記抜き穴から離れている側に設置された連結リングを含み、前記連結リングの中には平行移動チャンバが設置され、前記伝動軸には前記平行移動チャンバの中に位置しているナットがねじ山によって連結され、前記平行移動チャンバの中には中心対称の四つの推しロッドがスライドできるように連結され、前記推しロッドには前記ナットと当接しているボールが設置され、前記ボールと前記平行移動チャンバの内壁との間には引っ張りバネが連結され、前記ナットが移動し、且つ自身の高さの変化を利用して前記推しロッドを推し動かして互いに離れている方向にスライドさせる。
【０００９】
好ましくは、前記噴射装置は前記伝動チャンバとスライドできるように連結され、且つ中心対称の四つの円筒を含み、前記円筒の中には溶液チャンバが設置され、前記溶液チャンバのうち対称中心に近接している側にはスライド溝が設置され、前記スライド溝の中には前記推しロッドと当接しているベースがスライドできるように連結され、前記溶液チャンバの中には切断板がスライドできるように連結され、前記切断板の中には前後方向の対称位置に配置された一対のスライド穴が設置され、前記スライド穴の中には前記ベースと当接している押出ロッドがスライドできるように連結され、前記押出ロッドには凹溝が設置され、前記溶液チャンバのうち対称中心から離れている端には前後方向の対称位置に配置された一対の止めドアがヒンジで連結され、前記止めドアと前記押出ロッドとの間が当接するように連結され、前記押出ロッドが前記円筒より早くスライドすることによって、前記止めドアを回転させて前記溶液チャンバを開け、また前記押出ロッドによって前記溶液チャンバの中の二種類の化学剤を混合して充填用発泡プラスチックを生み出す。
【発明の効果】
【００１０】
本発明の有益な効果は：本発明は構成が簡単で、操作が便利であり、慣性の原理によって、弾性を持つように連結された判断の構成を利用し、衝撃をうけた時に後回して移動する特徴を持ち、タイムリーに装置を始動して作動させると、作業員を保護できる。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の警戒信号を出す安全なチョッキの全体構成概略図
【図２】図２は図１の連結箱の内部構成概略図
【図３】図３は図２の歯状レールとギヤとの連結したところの構成概略図
【図４】図４は図２のスタンドの構成概略図
【図５】図５は図２の「Ａ―Ａ」の構成概略図
【図６】図６は図５の噴射装置の構成概略図
【発明を実施するための形態】
【００１３】
本発明の警戒信号を出す安全なチョッキは、チョッキ１１を含み、前記チョッキ１１には前後方向の対称位置に配置された一対の光反射紐１２が設置され、前記チョッキ１１の肩部には左右方向の対称位置に配置された一対の連結箱１３が設置され、前記連結箱１３の中には空きチャンバ１５が設置され、前記空きチャンバ１５の中には判定装置９０１が設置され、前記空きチャンバ１５の下端内壁には抜き穴１８が連通するように設置され、前記抜き穴１８の中には前記判定装置９０１に制御される伝動装置９０２が設置され、前記抜き穴１８の底端内壁には前記伝動装置９０２と協働し、且つ左右方向の対称位置に配置された一対のスタンド２４が設置され、前記抜き穴１８のうち対称中心から離れている側の内壁には伝動軸３０が回転できるように連結され、前記伝動軸３０には前記抜き穴１８の中に位置している溝車２９が設置され、前記伝動軸において前記抜き穴から離れている側には推し動かし装置９０３が設置され、前記伝動軸３０において前記抜き穴１８から離れている側には固定リング３９が設置され、前記固定リング３９の中には伝動チャンバ４０が設置され、前記伝動チャンバ４０には中心対称の四つの噴射装置９０４がスライドできるように連結され、チョッキを着ている人は物と衝突した後、慣性により前記判定装置９０１を始動し、それによって前記伝動装置９０２が下方に垂れ、更に前記推し動かし装置９０３を連動させて前記噴射装置９０４を外部へ伸ばし、また化学反応が発生して充填用発泡プラスチックを生み出して体をカバーし、衝撃力を弱める。
【００１４】
有益なように、前記判定装置９０１は前記空きチャンバ１５の四つの頂角に設置された案内ローラー１４を含み、前記空きチャンバ１５の左右内壁と上端内壁にはそれぞれビット１７が設置され、前記空きチャンバ１５の中には判定箱１９が設置され、前記判定箱１９の中には移動チャンバ２０が設置され、前記移動チャンバ２０には前記ビット１７と対応した切断用刃物３８がスライドできるように連結され、前記切断用刃物３８と前記移動チャンバ２０の内壁との間には抵抗バネ３７が連結され、前記移動チャンバ２０の底端内壁には円弧面スライドブロック３３が設置され、前記円弧面スライドブロック３３には回転ボール３４がスライドできるように連結され、前記移動チャンバ２０の中には五角ロッド３６が設置され、前記五角ロッド３６の下側と前記回転ボール３４の上側との間には支持バネ３５が連結され、前記空きチャンバ１５の中には前記判定箱１９の下端に位置しており、且つ左右方向の対称位置に配置された一対の固定軸３１が回転できるように連結され、前記固定軸３１には支持輪３２が設置され、前記案内ローラー１４の間にはロープ１６が連結され、前記ロープ１６が前記支持輪３２を巻き付けて通して前記伝動装置９０２と連結され、前記五角ロッド３６と前記回転ボール３４との間の弾性を持つような連結によって、前記五角ロッド３６が衝撃を受けた時に後回し性能を持ち、前記切断用刃物３８を推し動かして前記ロープ１６を切断し、それによって前記伝動装置９０２が下方へ移動する。
【００１５】
有益なように、前記伝動装置９０２は前記ロープ１６と固定的に連結された糸引き戻し輪２６を含み、前記糸引き戻し輪２６の中には左右に伸びている駆動軸２７が設置され、前記駆動軸２７のうち対称中心から離れている端には前記溝車２９と当接している回しロッド２８が設置され、前記駆動軸２７には前記糸引き戻し輪２６のうち対称中心に近接している側に位置している回転盤２３が回転できるように連結され、前記回転盤２３と前記糸引き戻し輪２６との間には捻じりバネ２５が連結され、前記糸引き戻し輪２６のうち対称中心に近接している端にはギヤ２２が設置され、前記抜き穴１８のうち対称中心に近接している内壁には前記ギヤ２２と噛み合うように連結された歯状レール２１が設置され、前記ギヤ２２と前記歯状レール２１とが噛み合って伝動することによって前記捻じりバネ２５が運動エネルギーを蓄積し、前記捻じりバネ２５が前記スタンド２４に下降した時、前記駆動軸２７を逆方向へ回転させることができ、運動エネルギーを前記推し動かし装置９０３に伝達する。
【００１６】
有益なように、前記推し動かし装置９０３は前記伝動軸３０において前記抜き穴１８から離れている側に設置された連結リング４３を含み、前記連結リング４３の中には平行移動チャンバ４５が設置され、前記伝動軸３０には前記平行移動チャンバ４５の中に位置しているナット４４がねじ山によって連結され、前記平行移動チャンバ４５の中には中心対称の四つの推しロッド４１がスライドできるように連結され、前記推しロッド４１には前記ナット４４と当接しているボール４６が設置され、前記ボール４６と前記平行移動チャンバ４５の内壁との間には引っ張りバネ４２が連結され、前記ナット４４が移動し、且つ自身の高さの変化を利用して前記推しロッド４１を推し動かして互いに離れている方向にスライドさせる。
【００１７】
有益なように、前記噴射装置９０４は前記伝動チャンバ４０とスライドできるように連結され、且つ中心対称の四つの円筒５２を含み、前記円筒５２の中には溶液チャンバ４９が設置され、前記溶液チャンバ４９のうち対称中心に近接している側にはスライド溝５３が設置され、前記スライド溝５３の中には前記推しロッド４１と当接しているベース５４がスライドできるように連結され、前記溶液チャンバ４９の中には切断板５０がスライドできるように連結され、前記切断板５０の中には前後方向の対称位置に配置された一対のスライド穴５１が設置され、前記スライド穴５１の中には前記ベース５４と当接している押出ロッド５５がスライドできるように連結され、前記押出ロッド５５には凹溝４７が設置され、前記溶液チャンバ４９のうち対称中心から離れている端には前後方向の対称位置に配置された一対の止めドア４８がヒンジで連結され、前記止めドア４８と前記押出ロッド５５との間が当接するように連結され、前記押出ロッド５５が前記円筒５２より早くスライドすることによって、前記止めドア４８を回転させて前記溶液チャンバ４９を開け、また前記押出ロッド５５によって前記溶液チャンバ４９の中の二種類の化学剤を混合して充填用発泡プラスチックを生み出す。
【００１８】
本発明のチョッキは通常状態の下で、光反射紐１２によって警戒信号を出して人を守り、衝撃を受けた時、五角ロッド３６と回転ボール３４との間が支持バネ３５によって弾性を持つように連結されるため、五角ロッド３６が慣性の条件の下で連結箱１３の中に設置されたすべての部品より遅く移動し、この時、五角ロッド３６が切断用刃物３８を推し動かして移動チャンバ２０の外側へ移動させ、ビット１７との当接によってロープ１６を切断し、それによって駆動軸２７全体が下方へ移動し、ギヤ２２と歯状レール２１とが噛み合って伝動することによって、駆動軸２７が回転しながら下方へ移動し、さらに糸引き戻し輪２６を回転連動させてロープ１６を巻き付け、また捻じりバネ２５に運動エネルギーを蓄積させ、駆動軸２７がスタンド２４に下降した時、ギヤ２２が歯状レール２１との噛み合いから離脱し、また回しロッド２８が溝車２９と当接し、この時、捻じりバネ２５の弾性復元力による復帰によって、駆動軸２７が回転し、順に回しロッド２８と溝車２９とによって伝動軸３０を回転させ、伝動軸３０がねじ山による連結によってナット４４を逆な端へスライドさせ、ボール４６によって推しロッド４１を推し動かして対称中心から離れている側に移動させ、ベース５４をを推し動かして上方へ移動させ、ベース５４が先にスライド溝５３の中でスライドし、この時、押出ロッド５５が上方へ移動して止めドア４８を両側にひっくり返すように推し動かし、溶液チャンバ４９を開け、且つ凹溝４７を利用して溶液チャンバ４９の中の切断板により切断された二種類の化学剤を混合し、化学剤が膨張して発泡プラスチックを生み出し、発泡プラスチックを生み出す過程において、ベース５４が円筒５２を推し動かして円心から離れている端にスライドさせ、それによって発泡プラスチックは体をカバーすることができる。
【００１９】
本発明の有益な効果は：本発明は構成が簡単で、操作が便利であり、慣性の原理によって、弾性を持つように連結された判断の構成を利用し、衝撃をうけた時に後回して移動する特徴を持ち、タイムリーに装置を始動して作動させると、作業員を保護できる。
【００２０】
上記の方式によって、当業者は本発明の範囲内で作業モードに基づいて様々な変わりを行うことができる。